(57)【要約】【課題】  内蔵してある電装部品を取り外すことなく吹出しパネルが洗浄できるようにした、天井取付型空気調和機用部品の洗浄装置及び洗浄方法を提供する。【解決手段】  洗浄する部品を収容する洗浄装置本体１と、洗浄装置本体１内に洗浄液を送液するポンプ３と、ポンプ３によって送液された洗浄液を噴射する噴射ノズル８０と、洗浄装置本体１内に吹出しパネル９が水平または実質的に水平な状態で設置できるようにするパネル載置部材６０４，６０４とを備えており、上記パネル載置部材６０４，６０４は、吹出しパネル９が室内側設置面を上側に向けて、天井側設置面を下側に向けた状態で設置できるよう構成してあり、噴射ノズル８０から噴射された洗浄液が吹出しパネル９の室内側設置面に所要の圧力で直接かかり、天井側設置面側にはかからないかまたは実質的にかからないようにしてある。【選択図】        図１
2006223996.tif 000002
【特許請求の範囲】
【請求項１】
天井取付型空気調和機の室内側装置から取り外した部品を洗浄する装置であって、
洗浄する部品を収容する洗浄装置本体(1)と、
洗浄装置本体(1)内に洗浄液を送液する送液手段と、
送液手段によって送液された洗浄液を噴射する噴射手段と、
洗浄装置本体(1)内に吹出しパネル(9)が水平または実質的に水平な状態で設置できるようにする設置手段と、
を備えており、
上記設置手段は、吹出しパネル(9)が室内側設置面を上側に向けて、天井側設置面を下側に向けた状態で設置できるよう構成してあり、噴射手段から噴射された洗浄液が吹出しパネル(9)の室内側設置面に所要の圧力で直接かかり、天井側設置面側にはかからないかまたは実質的にかからないようにしてあることを特徴とする、
天井取付型空気調和機用部品の洗浄装置。
【請求項２】
天井取付型空気調和機の室内側装置から取り外した部品を洗浄する方法であって、
洗浄装置本体(1)内に、室内側設置面を上側に向けて、天井側設置面を下側に向けた状態で吹出しパネル(9)を設置し、洗浄液を吹出しパネル(9)の室内側設置面に所要の圧力で直接かけて、天井側設置面側にはかからないかまたは実質的にかからないようにして洗浄することを特徴とする、
天井取付型空気調和機用部品の洗浄方法。
【発明の詳細な説明】
【技術分野】
【０００１】
本発明は、天井取付型空気調和機（エアコンディショナー）用部品の洗浄装置及び洗浄方法に関する。更に詳しくは、内蔵してある電装部品を取り外すことなく吹出しパネルが洗浄できるようにしたものに関する。
【背景技術】
【０００２】
空気調和機の室内側装置は、室内の空気を吸い込んで内部で熱交換し、再び室内に吹き出すことで室内空気の調和を図っている。従って、エアフィルターは言うまでもなく、これを取り付ける吸込みグリルや空気を吹き出す吹出しパネルには、室内の空気に含まれる塵や埃等のゴミや汚れが付着する（極微細なゴミはエアフィルターで遮断できず通過してファン等の内部部品にも溜まる）。溜まったゴミには、カビ、ダニ、バクテリア等が繁殖し易く、衛生上好ましくないので、各種部品には定期的な洗浄が必要とされている。
【０００３】
従来、空気調和機から取り外したこれらの部品は、ブラシやたわし等を使って手作業で洗浄されている。従って、洗浄作業は多大な手間を要するものであった。特に、吹出しパネルについては、ルーバーを動かすためのモーター等の電装部品が内蔵してあり、これらの電装部品は濡らすことができないので、洗浄する際は取り外さなければならず、より手間を要していた。
【０００４】
ところで被洗浄物を洗浄するものとしては、洗浄装置本体を備え、この内部に洗浄液を噴射して被洗浄物を洗浄するといった、機械によって洗浄を行う洗浄装置がある。このような洗浄装置は、一般に知られており、各種分野において広く用いられている。従って、空気調和機から取り外した部品についても、上記した洗浄装置を使えば、洗浄にかかる手間が軽減できると思われる。
【発明の開示】
【発明が解決しようとする課題】
【０００５】
しかし、上記した洗浄装置は、当然ながら空気調和機から取り外した部品を洗浄するためのものとして開発されたものではない。そのため吹出しパネルを洗浄する場合において、電装部品を濡らさないためにこれを取り外さなければならないといった課題は、依然として解消できなかった。
【０００６】
本発明の目的は、天井取付型空気調和機から取り外した部品を洗浄する洗浄装置であって、内蔵してある電装部品を取り外すことなく吹出しパネルが洗浄できるようにすることにある。
【課題を解決するための手段】
【０００７】
上記目的を達成するために講じた本発明の手段は次のとおりである。
第１の発明にあっては、
天井取付型空気調和機の室内側装置から取り外した部品を洗浄する装置であって、
洗浄する部品を収容する洗浄装置本体(1)と、
洗浄装置本体(1)内に洗浄液を送液する送液手段と、
送液手段によって送液された洗浄液を噴射する噴射手段と、
洗浄装置本体(1)内に吹出しパネル(9)が水平または実質的に水平な状態で設置できるようにする設置手段と、
を備えており、
上記設置手段は、吹出しパネル(9)が室内側設置面を上側に向けて、天井側設置面を下側に向けた状態で設置できるよう構成してあり、噴射手段から噴射された洗浄液が吹出しパネル(9)の室内側設置面に所要の圧力で直接かかり、天井側設置面側にはかからないかまたは実質的にかからないようにしてあることを特徴とする、
天井取付型空気調和機用部品の洗浄装置である。
【０００８】
第２の発明にあっては、
天井取付型空気調和機の室内側装置から取り外した部品を洗浄する方法であって、
洗浄装置本体(1)内に、室内側設置面を上側に向けて、天井側設置面を下側に向けた状態で吹出しパネル(9)を設置し、洗浄液を吹出しパネル(9)の室内側設置面に所要の圧力で直接かけて、天井側設置面側にはかからないかまたは実質的にかからないようにして洗浄することを特徴とする、
天井取付型空気調和機用部品の洗浄方法。
【０００９】
なお、ここでは本発明の各構成要件のそれぞれに、後述する実施の形態において示す各部の符号を対応させて付与したが、この符号はあくまで説明の理解を助けるためのものであって、各構成要件の上記各部への限定を意味するものではない。
【００１０】
（作  用）
本発明によれば、吹出しパネルが室内側設置面を上側に向けて、天井側設置面を下側に向けた状態で、水平または実質的に水平な状態で設置できる。噴射手段から噴射された洗浄液は、吹出しパネルの室内側設置面に所要の圧力で直接かかり、天井側設置面側にはかからないかまたは実質的にかからない。
【発明の効果】
【００１１】
本発明によれば、設置手段に吹出しパネルを設置することにより、洗浄液が室内側設置面に所要の圧力で直接かかり、天井側設置面側にはかからないかまたは実質的にかからない状態で吹出しパネルが洗浄できる。従って、吹出しパネルは、モーター類を電装部品収容部から取り外すことなく洗浄でき、洗浄作業の手間が軽減できる。
【発明を実施するための最良の形態】
【００１２】
本発明の実施の形態を図面に基づき更に詳細に説明する。
図１は本発明に係る天井取付型空気調和機用部品の洗浄装置の一実施の形態を示す斜視説明図、
図２は吹出しパネルの洗浄状態を示す使用状態説明図である。
【００１３】
天井取付型空気調和機用部品の洗浄装置Ｓ（以下、単に「洗浄装置Ｓ」と示す）は、取り外した部品を収容して洗浄する洗浄装置本体１と、洗浄液を溜める洗浄液貯留容器２と、洗浄液貯留容器２に溜めた洗浄液を洗浄装置本体１内に送液する送液手段であるポンプ３を備えている。
【００１４】
洗浄装置本体１は、土台５と、土台５上に設けてある送液管６と、送液管６の周りを覆って洗浄部１０を構成するシート部材７を備えている。
【００１５】
土台５は、洗浄装置本体１内に噴射された洗浄液を集める集水部５０と、集水部５０を設ける枠体５１を備えている。
集水部５０は、平面視略長方形状を有しており、縁部に側板５００を設けて所要の深さを有するプール状に形成してある。集水部５０の底面５０１は、洗浄液が中央部分に集められるようテーパ形状にしてある。
【００１６】
集水部５０の側板５００で囲まれた内側には、平板状の水切り部材５２が、底面５０１からやや浮かせた状態になるようにして取り付けてある。本実施の形態で水切り部材５２は、ステンレス製のパンチングメタルを使用した。
【００１７】
集水部５０の中央部分の下側には、集められた洗浄液を一旦溜める貯留部５３が設けてある。貯留部５３にはホース５４が接続してあり、溜めた洗浄液が洗浄液貯留容器２に戻せるようにしてある。また、貯留部５３の側壁には分岐装置５５が設けてある。分岐装置５５には、ポンプ３から送られる洗浄液を通すホース５６が接続してある。分岐装置５５には、ポンプ３から送られた洗浄液の送り先を制御するための操作レバー５５０が設けてある。
枠体５１の下端部にはキャスター５１０が設けてあり、土台５は移動可能である。
【００１８】
送液管６は、柱部６０ａ、柱部６０ｂ、柱部６０ｃ、柱部６０ｄという集水部５０の四隅近傍から立ち上がる柱構造を備える柱管６０と、柱管６０の上部側に設けてある上部枠管６１と、柱管６０で囲まれた内底部分に設けてある内部管６２を備えている。柱管６０、上部枠管６１、内部管６２は、それぞれ合成樹脂製の管状体で形成してある。
【００１９】
柱管６０は、長尺状の管体６００を二箇所から曲げることで柱部６０ａと柱部６０ｂが形成してあり、同様に別体の長尺状の管体６０１を二箇所から曲げることで柱部６０ｃと柱部６０ｄが形成してある。柱部６０ａと柱部６０ｂを形成する管体６００と、柱部６０ｃと柱部６０ｄを形成する管体６０１は、それぞれ水平部分を集水部５０内の水切り部材５２より下側位置に配置して、その間に所要長さの直管６０２を設けて繋いである。直管６０２と管体６００，６０１は、内部が連通するよう繋いである。更に、直管６０２には、内部が連通するよう供給管６０３が繋いであり、供給管６０３は上記した集水部５０を水密に貫通して分岐装置５５と繋いである。なお、柱部６０ａ、柱部６０ｂ、柱部６０ｃ、柱部６０ｄの上端部は、洗浄液が漏れないよう閉塞してある。
【００２０】
また、柱部６０ａと柱部６０ｃの間と、柱部６０ｂと柱部６０ｄの間には、吹出しパネルが水平または実質的に水平な状態で設置できる設置手段であるパネル載置部材６０４，６０４がそれぞれ架け渡してある。また、パネル載置部材６０４，６０４の両端側には架設部材６０５が架け渡してある。パネル載置部材６０４及び架設部材６０５は送液管６の補強も兼ねており、中実の棒体で形成してあり、突き合わせて繋いである。
【００２１】
上部枠管６１は、管体を曲げて平面視略正方形状の環形状を有するよう形成してあり、柱部６０ａ、柱部６０ｂ、柱部６０ｃ、柱部６０ｄを取り囲むよう柱管６０に固定してある。また、上部枠管６１には、円弧形状を有する補強のための補強部材６１１が架け渡してある。上部枠管６１の所要の位置には、内部が連通するよう供給管６１０が繋いである。供給管６１０は下部側が集水部５０内の水切り部材５２より下側位置に配置してあり、集水部５０を水密に貫通して分岐装置５５と接続してある。
【００２２】
上記した柱管６０、上部枠管６１及び補強部材６１１は、シート部材７を取り付けて洗浄装置本体１を形成するときの外形状を決める骨枠としても機能する。
【００２３】
内部管６２は、比較的小さな部品を洗浄するものであり、部品の下側を洗浄する下側洗浄部６２０（図１では右側）と、部品の上側を洗浄する上側洗浄部６２１（図１では左側）を備えている。下側洗浄部６２０は、管体を曲げて水平部とその両端に垂直部を備える、いわゆる門型形状に形成してある。上側洗浄部６２１は、管体を略直角に曲げることで、立ち上がる垂直部と水平部を備えるよう形成してある。上側洗浄部６２１の水平部は、下側洗浄部６２０の水平部よりやや高い位置に設けてあり、また、これら水平部は略平行にしてある。
【００２４】
下側洗浄部６２０の下部側と上側洗浄部６２１の下部側には、集水部５０内の水切り部材５２より下側位置に配置された供給管６２２が設けてあり、供給管６２２は集水部５０を水密に貫通して分岐装置５５と接続してある。
【００２５】
上記した送液管６は、柱管６０を構成する管体６００、管体６０１、直管６０２、供給管６０３と、枠管６１を構成する補強部材６１１、供給管６１０と、内部管６２を構成する下側洗浄部６２０、上側洗浄部６２１、供給管６２２と、パネル載置部材６０４と、架設部材６０５を組み立てて形成されており、これらはそれぞれパーツごとに分解可能である。
【００２６】
下側洗浄部６２０と上側洗浄部６２１で挟まれた水切り部材５２上には、洗浄する部品を取り付ける取付部材５７が上方に延びて設けてある。図２は取付部材５７にファンＦを取り付けた状態を想像線にて示している。
【００２７】
柱管６０の柱部６０ａ、柱部６０ｂ、柱部６０ｃ、柱部６０ｄの周面と、上部枠管６１の周面と、内部管６２の下側洗浄部６２０と上側洗浄部６２１の周面の所要箇所には、噴射手段である噴射ノズル８０が複数取り付けてある。各噴射ノズル８０は、洗浄液が洗浄する部品に所要の圧力で直接かかるよう洗浄装置本体１の内方に向けて噴射されるよう取り付けてある。詳しくは、柱管６０と上部枠管６１の噴射ノズル８０は、洗浄する部品に対して洗浄液が上方側から下方側に向かって噴射されるよう設けてある。内部管６２の水平部の噴射ノズル８０は、上方側に向かうものと下方側に向かうものとが交互に並べて設けてある。噴射ノズル８０は、洗浄液が略円錐形状に拡がって噴射されるものを使用している。
【００２８】
シート部材７は、柔軟性及び防水性を有する透明な合成樹脂シートで、土台５上に設けた送液管６の外側を覆うことができるよう形成してある。シート部材７は、柱管６０の周りに設けられよう筒状に形成してある側部シート部材７０と、上部枠管６１上に被さって設けられる上部シート部材７１を備えている。側部シート部材７０は、下縁部が集水部５０内に設けられるよう垂らした状態で取り付けてあり、上縁部には、柱管６０の周りを覆ったときに上縁部を絞って上部枠管６１に引っ掛けることができるようにするためのゴム紐（図示省略）が内蔵してある。また、上部シート部材７１の下縁部には、上部枠管６１より上側を覆ったときに上部枠管６１に引っ掛けることができるようにするためのゴム紐（図示省略）が内蔵してある。シート部材７は、上部シート部材７１を設けた後に、上部シート部材７１の下縁部をも覆うようにして側部シート部材７０が設けられる。シート部材７は、上記構成を有することにより、側部シート部材７０を送液管６に沿って上げ下げするだけで簡単に洗浄部１０が構成できる。
【００２９】
洗浄液貯留容器２とポンプ３は、キャスター４０によって移動可能な荷車４に載せてユニット化してある。ポンプ３にはホース５６が接続してあり、洗浄液貯留容器２にはホース５４が接続してある。洗浄液貯留容器２及びポンプ３は公知技術のものを使用したので詳細な説明は省略する。
【００３０】
（作  用）
図１及び図２を参照し、天井埋込型空気調和機の吹出しパネルを洗浄装置Ｓで洗浄するときの作用を説明する。
まず、簡単に天井埋込型空気調和機の吹出しパネル９の構造について説明する。吹出しパネル９は、中央部に開口した吸込みグリル取付部（図では見えない）を備え、その周りの四辺に吹出口９０が形成された構造を有している。吹出口９０には風向きを変えるルーバー９１が設けてある。ルーバー９１は、吹出しパネル９内部に形成された電装部品収容部９２に収容してあるモーター（図示省略）によって可動する。電装部品収容部９２は、天井側設置面側に形成してあり、吹出しパネル９を天井に取り付けた際に室内側から見えない。また、電装部品収容部９２に収容されたモーター類は、天井側設置面側に設けた蓋を開けて取り外すことができる。
【００３１】
吹出しパネル９は、電装部品収容部９２からモーター類を取り外さない状態で洗浄装置本体１内に設置する。吹出しパネル９は、室内側設置面を上側に向けて、天井側設置面を下側に向けた状態でパネル載置部材６０４，６０４の間に架け渡して、水平または実質的に水平な状態で設置される。
【００３２】
吹出しパネル９の設置後、シート部材７によって送液管６の周り全体を覆って、洗浄装置本体１に洗浄部１０を形成する。
【００３３】
分岐装置５５の操作レバー５５０を操作して、ポンプ３から送られる洗浄液が上部枠管６１の噴射ノズル８０から噴射されるようにする。
【００３４】
洗浄液貯留容器２内に洗浄液を所要量入れてポンプ３を作動させる。洗浄液貯留容器２内の洗浄液は、ホース５６を通って分岐装置５５に送られ、供給管６１０を通り、上部枠管６１の噴射ノズル８０から噴射される。
【００３５】
上部枠管６１の噴射ノズル８０は、洗浄液が所要の圧力で上方側から下方側に向かって噴射されるようにしてあるので、洗浄液は吹出しパネル９の室内側設置面全体にかかる。そして洗浄液は、ゴミや汚れと一緒に室内側設置面上を流れて縁から垂れて落ちる。このように洗浄装置Ｓによれば、部品を簡単に洗浄することができる。
【００３６】
また、上部枠管６１の噴射ノズル８０から噴射される洗浄液は、吹出しパネル９の室内側設置面にかかって縁から垂れて落ちるので、パネル載置部材６０４に設置した状態で、吹出しパネル９の天井側設置面側を濡らすことがない。従って、吹出しパネル９の場合では、モーター類を電装部品収容部９２から取り外すことなく濡らさず洗浄でき、洗浄作業が簡単にできる。
【００３７】
噴射ノズル８０から噴射された洗浄液は、吹出しパネル９から垂れて、水切り部材５２の隙間を通って集水部５０に集められる。集水部５０は、底面５０１が内側に窄まるテーパ形状にしてあるので中央部分に集められ、貯留部５３に溜められる。貯留部５３に溜められた洗浄液は、ホース５４を通って再び洗浄液貯留容器２に戻される。こうして洗浄液は循環する。
【００３８】
空気調和機から取り外した部品の洗浄作業は、通常、現場で実施される。洗浄装置Ｓは、洗浄部１０を形成する送液管６が組み立て及び分解可能であり、その周りを覆うシート部材７も柔軟性を有しているので、現場への搬入が容易である。従って、現場に持ち込んでその場で組み立てて洗浄作業ができる。
【００３９】
本実施の形態では吹出しパネル９の洗浄について説明したが、洗浄装置Ｓは吹出しパネル９以外の空気調和機用部品（例えば、ファン、エアフィルター、吸込みグリル等）を洗浄することもできる。この場合、空気調和機用部品は、下側洗浄部６２０と上側洗浄部６２１の間に設けてある取付部材５７に取り付けたり、水切り部材５２上に立てたりして設置される。また、洗浄液は、操作レバー５５０を操作することにより、柱管６０の柱部６０ａ、柱部６０ｂ、柱部６０ｃ、柱部６０ｄの噴射ノズル８０や、内部管６２の下側洗浄部６２０と上側洗浄部６２１の噴射ノズル８０から噴射するようにできる。こうして柱管６０や内部管６２から洗浄液を噴射させて各種空気調和機用部品は洗浄できる。
【００４０】
本実施の形態では説明していないが、集水部５０や貯留部５３には、落としたゴミをろ過するためのフィルター等の装置を設けることもできる。
【００４１】
本実施の形態で送液管６を構成する管状体は合成樹脂製のものを使用したが、これは限定するものではなく、例えば、金属、木、竹、これら（合成樹脂を含む）の複合物で形成することできる。
【００４２】
本実施の形態でシート部材７は、透明の合成樹脂シートを使用したが、これは限定するものではない。例えば、半透明なものや不透明なものを使用することもできる。また、材料も特に限定するものではない。
【００４３】
本実施の形態で水切り部材は、ステンレス製のパンチングメタルを使用したが、水切り部材はこれに限定するものではなく、水を切り作用を備えるものであれば、例えば、すのこやエキスパンドメタル等が使用できる。また、材料も、例えば、木、竹、合成樹脂、セラミックス、ガラス、他の金属等が使用できる。
【００４４】
本実施の形態で噴射ノズル８０は、洗浄液が略円錐形状に拡がって噴射されるものを使用したが、これも限定するものではない。また、噴射ノズル８０の間隔についても任意に設定可能である。
【００４５】
本実施の形態では開示していないが、洗浄装置Ｓには洗浄液を加熱する加熱装置を設けることもできる。なお、加熱装置を設けると加熱された洗浄液によって湯気が発生することがあるので、場合によっては電装部品収容部に対して養生が必要になることがある。
【００４６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４７】
【図１】本発明に係る天井取付型空気調和機用部品の洗浄装置の一実施の形態を示す斜視説明図。
【図２】吹出しパネルの洗浄状態を示す使用状態説明図。
【符号の説明】
【００４８】
Ｓ  洗浄装置
Ｆ  ファン
１  洗浄装置本体
１０  洗浄部
２  洗浄液貯留容器
３  ポンプ
４  荷車
４０  キャスター
５  土台
５０  集水部
５００  側板
５０１  底面
５１  枠体
５１０  キャスター
５２  部材
５３  貯留部
５４  ホース
５５  分岐装置
５５０  操作レバー
５６  ホース
５７  取付部材
６  送液管
６０  柱管
６０ａ，６０ｂ，６０ｃ，６０ｄ  柱部
６００  管体
６０１  管体
６０２  直管
６０３  供給管
６０４  パネル載置部材
６０５  架設部材
６１  上部枠管
６１０  供給管
６１１  補強部材
６２  内部管
６２０  下側洗浄部
６２１  上側洗浄部
６２２  供給管
７  シート部材
７０  側部シート部材
７１  上部シート部材
８０  噴射ノズル
９０  吹出口
９  パネル
９１  ルーバー
９２  電装部品収容部
【図１】
2006223996.tif 000003
【図２】
2006223996.tif 000004